(57)【要約】【課題】美観を維持することができ、さらに、暗い場所でも乗降口の遠くから各踏み部の循環移動方向を容易に識別することができる乗客コンベアを提供する。【解決手段】乗客コンベア１において、無端状に連結されて循環移動可能に設けられ、透光性を有して循環移動方向を示す透過部がそれぞれ形成された複数の踏み部３と、複数の踏み部３を循環移動させる駆動部５と、複数の踏み部３の内側に対して光を照射する光源８とを備える。【選択図】図１
2007246260.tif 000002
【特許請求の範囲】
【請求項１】
無端状に連結されて循環移動可能に設けられ、透光性を有して循環移動方向を示す透過部がそれぞれ形成された複数の踏み部と、
前記複数の踏み部を循環移動させる駆動部と、
前記複数の踏み部の内側に対して光を照射する光源と、
を備えることを特徴とする乗客コンベア。
【請求項２】
前記透過部は、前記循環移動方向として異なる２つの指示方向を切替可能に示すように形成されていることを特徴とする請求項１記載の乗客コンベア。
【請求項３】
前記複数の踏み部の前記循環移動方向に一致させるように前記透過部の２つの前記指示方向を切り替える切替部を備えることを特徴とする請求項２記載の乗客コンベア。
【請求項４】
前記踏み部は、前記透過部が形成された踏板と、前記透過部が形成された蹴上板とを具備していることを特徴とする請求項１、２又は３記載の乗客コンベア。
【発明の詳細な説明】
【技術分野】
【０００１】
本発明は、乗客を搬送する乗客コンベアに関する。
【背景技術】
【０００２】
エスカレータや動く歩道等の乗客コンベアは、様々な建物に設置されて用いられている。乗客コンベアは、無端状に形成され循環移動可能に設けられた複数の踏み部（例えば、踏段及びパレット）により、利用者である乗客を搬送する装置である。
【０００３】
このような乗客コンベアでは、利用者は各踏み部の循環移動方向（乗客コンベアの運転方向）を見て、その循環移動方向が希望する方向であることを識別し、その後、循環移動している各踏み部に乗り込む。
【０００４】
通常、利用者は乗降口に近づいてから、各踏み部の循環移動方向を識別しており、乗降口の遠くからその循環移動方向を識別することは困難である。そこで、乗降口の遠くからも、各踏み部の循環移動方向を容易に識別するため、踏板面及び蹴上面（ライザ面）に色塗装を行う技術が提案されている（例えば、特許文献１参照）。
【特許文献１】特開平９−２７８３３５号公報
【発明の開示】
【発明が解決しようとする課題】
【０００５】
しかしながら、前述の色塗装を行う技術では、踏板面及び蹴上面に色塗装を行っているが、それらの踏板面及び蹴上面は利用者の靴やスーツケース等の様々な物体が直接当たる面である。このため、色塗装が長期の使用により剥がれ、美観が損ねられてしまう。加えて、各踏み部を視認することが難しくなるため、乗降口の遠くから各踏み部の循環移動方向を識別することは困難になってしまう。
【０００６】
また、乗客コンベアは、照明が十分でない暗い場所に設置されることがある。この場合には、乗客コンベアの周囲が暗く、各踏み部を視認することが難しくなるため、乗降口の遠くから各踏み部の循環移動方向を識別することは困難になってしまう。
【０００７】
本発明は、上記に鑑みてなされたものであり、その目的は、美観を維持することができ、さらに、暗い場所でも乗降口の遠くから各踏み部の循環移動方向を容易に識別することができる乗客コンベアを提供することである。
【課題を解決するための手段】
【０００８】
本発明の実施の形態に係る特徴は、乗客コンベアにおいて、無端状に連結されて循環移動可能に設けられ、透光性を有して循環移動方向を示す透過部がそれぞれ形成された複数の踏み部と、複数の踏み部を循環移動させる駆動部と、複数の踏み部の内側に対して光を照射する光源とを備えることである。
【発明の効果】
【０００９】
本発明によれば、美観を維持することができ、さらに、暗い場所でも乗降口の遠くから各踏み部の循環移動方向を容易に識別することができる。
【発明を実施するための最良の形態】
【００１０】
本発明の実施の一形態について図面を参照して説明する。
【００１１】
図１及び図２に示すように、本発明の実施の一形態に係る乗客コンベア１は、建物の上階と下階との間に亘って据え付けられたトラス等の本体枠２と、無端状に連結されて本体枠２内に循環移動可能に設けられた複数の踏み部３と、それらの踏み部３の両側に位置して本体枠２上に立設される一対の欄干４と、各踏み部３を循環移動させる駆動部５と、その駆動部５を含む各部を制御する制御部６とを備えている。
【００１２】
本体枠２は、上階と下階との間に斜めに配置されている。本体枠２の上階側の乗降口及び下階側の乗降口には、乗降板７ａ、７ｂがそれぞれ設けられている。また、本体枠２内には、各踏み部３の内側に対して光を照射する複数の光源８が設けられている。さらに、本体枠２内には、各踏み部３を循環移動方向に案内するコンベアガイドレール９が設けられている。なお、各踏み部３は、無端状に形成されたコンベアチェーン１０により無端状に連結されている。
【００１３】
各光源８は、図３に示すように、各踏み部３の循環移動方向に平行に位置付けられ、露出する各踏み部３の下方にそれぞれ設けられている（図１参照）。これらの光源８は、循環移動方向に並べて一列に設けられ青色に点灯する３つの青光源と、同様に循環移動方向に並べて一列に設けられ赤色に点灯する３つの赤光源とにより構成されている。各光源８は、切替スイッチ１１を介して電源１２に接続されている（図３参照）。切替スイッチ１１は、３つの赤光源及び３つの青光源のどちらか一方が点灯するように制御部６により切替制御される。なお、光源８としては、例えば、熱陰極蛍光灯や冷陰極蛍光灯等の放電灯、電球、ＬＥＤ及び有機ＥＬ等を用いる。
【００１４】
踏み部３は、図４に示すように、支持体であるフレーム３ａと、そのフレーム３ａに設けられた踏板３ｂと、その踏板３ｂに連続してフレーム３ａに設けられた蹴上板（ライザ）３ｃと、フレーム３ａに設けられた駆動ローラ３ｄ及び追従ローラ３ｅとを備えている。この踏み部３が踏段として機能する。
【００１５】
踏板３ｂ及び蹴上板３ｃは平板状に形成されている。これらの踏板３ｂ及び蹴上板３ｃには、光が透過する透光性を有する透過部Ｔ１、Ｔ２がそれぞれ形成されている。このような踏板３ｂ及び蹴上板３ｃに対して各光源８から照射された光は、各透過部Ｔ１、Ｔ２を透過して踏み部３の外部にもれ出すことになる。
【００１６】
駆動ローラ３ｄ及び追従ローラ３ｅは、フレーム３ａに回転可能に設けられており、コンベアガイドレール９により案内される。これにより、踏み部３はコンベアガイドレール９に沿ってスムーズに循環移動する。
【００１７】
透過部Ｔ１は、踏板３ｂに形成された貫通孔２１ａに設けられ透光性を有する蓋部材２２ａと、その蓋部材２２ａに対してスライド移動可能に踏板３ｂに設けられ透光性を有し、循環移動方向として異なる２つの指示方向を示す指示部材２３ａとにより構成されている。同様に、透過部Ｔ２は、蹴上板３ｃに形成された貫通孔２１ｂに設けられ透光性を有する蓋部材２２ｂと、その蓋部材２２ｂに対してスライド移動可能に蹴上板３ｃに設けられ透光性を有し、循環移動方向として異なる２つの指示方向を示す指示部材２３ｂとにより構成されている。
【００１８】
すなわち、それらの透過部Ｔ１、Ｔ２は、循環移動方向として異なる２つの指示方向を切替可能に示すように形成されている。また、踏板３ｂ及び蹴上板３ｃには、各踏み部３の循環移動方向に一致させるように各透過部Ｔ１、Ｔ２の２つの指示方向を切り替える切替部２４ａ、２４ｂがそれぞれ設けられている。
【００１９】
貫通孔２１ａ、２１ｂは、例えば長方形状に形成されている。これらの貫通孔２１ａ、２１ｂには、蓋部材２２ａ、２２ｂが嵌合されてそれぞれ設けられている。蓋部材２２ａ、２２ｂは、例えば透光性を有するガラスや樹脂等の材料により形成されている。この蓋部材２２ａ、２２ｂは、利用者の靴やスーツケース等の様々な物体により損傷しない十分な強度を有している。
【００２０】
指示部材２３ａ、２３ｂは、図５及び図６に示すように、光が透過する透過領域Ｒ１と、光を遮断する遮光領域Ｒ２とを有している。透過領域Ｒ１は、例えば矢印や記号等の図形や文字等の形状に形成されており、各踏み部３の循環移動方向を示す。なお、本実施の形態では、透過領域Ｒ１は、循環移動方向として異なる２つの指示方向、すなわち上昇方向及び下降方向を示す矢印形状に形成されている。このような指示部材２３ａ、２３ｂは、例えばガラスや樹脂等の材料により形成されている。
【００２１】
切替部２４ａ、２４ｂは、各踏み部３の循環移動方向に応じて、指示部材２３ａ、２３ｂをそれぞれスライド移動させる移動機構である（図４参照）。この切替部２４ａ、２４ｂは、制御部６により駆動制御され、各踏み部３の循環移動方向が上昇方向である場合、透過領域Ｒ１の矢印が上昇方向を示すように指示部材２３ａ、２３ｂをスライド移動させ（図５参照）、各踏み部３の循環移動方向が下降方向である場合、透過領域Ｒ１の矢印が下降方向を示すように指示部材２３ａ、２３ｂをスライド移動させる（図６参照）。なお、切替部２４ａ、２４ｂとしては、例えばネジ送り機構やラックアンドピニオン機構等を用いる。
【００２２】
一対の欄干４は、本体枠２上に立設されて平行に対向し、各踏み部３の両側に配置されている（図１及び図２参照）。欄干４の周縁部には、ガイドレール１３と、そのガイドレール１３に巻き掛けられて循環移動する手摺ベルト１４とが設けられている。ガイドレール１３は、循環移動する手摺ベルト１４をガイドするためのレールである。手摺ベルト１４は、断面形状Ｃ字形に形成されたベルトであり、ガイドレール１３に沿って配置されている。手摺ベルト１４の外周面はエスカレータ利用者が手をかける部分であり、手摺ベルト１４は踏み部３と同期して略同じ速度で循環移動する。
【００２３】
駆動部５は、上階の乗降板７ａの下方に回転可能に設けられた駆動スプロケット５ａと、下階の乗降板７ｂの下方に回転可能に設けられた従動スプロケット５ｂと、駆動スプロケット５ａを回転駆動する駆動モータ５ｃとを備えている（図１参照）。駆動スプロケット５ａ及び従動スプロケット５ｂの間には、コンベアチェーン１０が掛け渡されている。駆動スプロケット５ａが駆動モータ５ｃの回転駆動により回転し、それに応じて、コンベアチェーン１０が駆動スプロケット５ａと従動スプロケット５ｂとの間を循環移動し、各踏み部３が循環移動する。駆動モータ５ｃは、上階の乗降板７ａの下方に設けられている。
【００２４】
制御部６は、各種の制御を行うＣＰＵと、そのＣＰＵが実行するプログラムや固定データを記憶するＲＯＭと、各種のデータを一時的に記憶するＲＡＭと、時間をカウントするタイマとを備えており、駆動部５の駆動モータ５ｃの回転制御、切替スイッチ１１の切替制御及び各切替部２４ａ、２４ｂの駆動制御等の各種の制御を行う。制御部６は本体枠２内に設けられている。この制御部６には、乗客コンベア１の管理者や保守点検員等の操作者からの各種の操作を受け付ける操作部１５が接続されている（図３参照）。この操作部１５は、各種のスイッチやブザー等を備えており、一対の欄干４のどちらか一方の下側部分に設けられている（図１参照）。
【００２５】
次に、このような乗客コンベア１の循環移動方向（乗客コンベア１の運転方向）を示す報知動作について説明する。乗客コンベア１の制御部６は各種のプログラムに基づいて報知動作を行う。なお、各踏み部３の循環移動方向は、乗客コンベア１の管理者や保守点検員等による操作部１５に対する入力操作により変更される。
【００２６】
制御部６は、各踏み部３の循環移動方向、すなわち上昇方向又は下降方向に応じて、切替スイッチ１１を切替制御し、加えて、各切替部２４ａ、２４ｂを駆動制御する。なお、制御部６は、各踏み部３が循環移動している運転中、各光源８を点滅させ、各踏み部３が停止している停止中、各光源８を連続点灯させる制御を行う。
【００２７】
各踏み部３の循環移動方向が上昇方向である場合には、制御部６は、各光源８の３つの青電源が点灯するように切替スイッチ１１を切り替え、全ての踏み部３の各切替部２４ａ、２４ｂを駆動制御し、各指示部材２３ａ、２３ｂの透過領域Ｒ１の矢印が上昇方向を示すように各指示部材２３ａ、２３ｂをスライド移動させる（図５参照）。これにより、各光源８の３つの青電源が点灯し、各指示部材２３ａ、２３ｂは、それらの透過領域Ｒ１の矢印が上昇方向を示すようにスライド移動する。これにより、各光源８により照射された青色の光が各踏み部３の透過部Ｔ１、Ｔ２を透過し、上昇方向を示す矢印が表示されるので（図２参照）、各踏み部３の循環移動方向が明確に示される。
【００２８】
一方、各踏み部３の循環移動方向が下降方向である場合には、制御部６は、各光源８の３つの赤電源が点灯するように切替スイッチ１１を切り替え、全ての踏み部３の各切替部２４ａ、２４ｂを駆動制御し、各指示部材２３ａ、２３ｂの透過領域Ｒ１の矢印が下降方向を示すように各指示部材２３ａ、２３ｂをスライド移動させる（図６参照）。これにより、各光源８の３つの赤電源が点灯し、各指示部材２３ａ、２３ｂは、それらの透過領域Ｒ１の矢印が下降方向を示すようにスライド移動する。これにより、各光源８により照射された赤色の光が各踏み部３の透過部Ｔ１、Ｔ２を透過し、下降方向を示す矢印が表示されるので、各踏み部３の循環移動方向が明確に示される。
【００２９】
以上説明したように、本発明の実施の形態によれば、透光性を有して各踏み部３の循環移動方向を示す透過部Ｔ１、Ｔ２を各踏み部３に設け、それらの踏み部３の内側に対して光をそれぞれ照射する各光源８を設けることによって、それらの光源８から照射された光が各踏み部３の透過部Ｔ１、Ｔ２を透過し、各踏み部３の循環移動方向が明確に示されるので、暗い場所でも乗降口の遠くから各踏み部３の循環移動方向を容易に識別することができる。さらに、踏み部３を目立たせるために踏み部３に色塗装を行う必要がなくなり、色塗装が踏み部３から剥がれたりすることがなくなるので、踏み部３の美観を維持することができる。
【００３０】
また、透過部Ｔ１、Ｔ２が、循環移動方向として異なる２つの指示方向を切替可能に示すように形成されていることから、各踏み部３の循環移動方向が変更された場合でも、透過部Ｔ１、Ｔ２の指示方向の変更のために各種の部材を交換する必要がなく、各踏み部３の循環移動方向に応じて、透過部Ｔ１、Ｔ２の指示方向を容易に変更することができる。
【００３１】
さらに、各踏み部３の循環移動方向に一致させるように透過部Ｔ１、Ｔ２の２つの指示方向を切り替える切替部２４ａ、２４ｂを備えることから、各踏み部３の循環移動方向に応じて、透過部Ｔ１、Ｔ２の２つの指示方向が自動的に切り替えられるので、透過部Ｔ１、Ｔ２の指示方向を変更するための作業が必要なくなり、乗客コンベア１の管理者等の負担を軽減することができる。
【００３２】
また、踏み部３は、透過部Ｔ１が形成された踏板３ｂと、透過部Ｔ２が形成された蹴上板３ｃとを具備していることから、光源８により照射された光が踏板３ｂの透過部Ｔ１及び蹴上板３ｃの透過部Ｔ２を透過し、利用者は踏み部３を確実に視認することが可能になるので、暗い場所でも、乗降口の遠くから各踏み部３の循環移動方向を確実に識別することができる。
【００３３】
（他の実施の形態）
なお、本発明は、前述の実施の形態に限るものではなく、その要旨を逸脱しない範囲において種々変更可能である。
【００３４】
例えば、前述の実施の形態においては、各光源８として青光源及び赤光源を用いているが、これに限るものではなく、例えば他の色の光源を用いるようにしてもよい。加えて、前述の実施の形態においては、２色の光源を用いるようにしているが、これに限るものではなく、例えば単色の光源だけを用いるようにしてもよい。
【００３５】
また、前述の実施の形態においては、全ての踏み部３に透過部Ｔ１、Ｔ２を設けるようにしているが、これに限るものではなく、例えば、各踏み部３に一段おきに透過部Ｔ１、Ｔ２を設けるようにしてもよい。加えて、前述の実施の形態においては、踏み部３の踏板３ｂ及び蹴上板３ｃの両方に透過部Ｔ１、Ｔ２を設けているが、これに限るものではなく、例えば、踏み部３の踏板３ｂ及び蹴上板３ｃのどちらか一方に透過部Ｔ１、Ｔ２を設けるようにしてもよい。
【００３６】
また、前述の実施の形態においては、切替部２４ａ、２４ｂを設けているが、これに限るものではなく、例えば、切替部２４ａ、２４ｂを設けず、乗客コンベア１の管理者等が各踏み部３の循環移動方向に一致させて透過部Ｔ１、Ｔ２の２つの指示方向を切り替えるようにしてもよい。
【００３７】
最後に、前述の実施の形態においては、運転中、各光源８を点滅させているが、これに限るものではなく、例えば、運転中、各光源８を連続点灯させるようにしてもよい。
【図面の簡単な説明】
【００３８】
【図１】本発明の実施の一形態に係る乗客コンベアの概略構成を示す模式図である。
【図２】図１に示す乗客コンベアを示す正面図である。
【図３】図１及び図２に示す乗客コンベアを示す平面図である。
【図４】図１及び図２に示す乗客コンベアが備える踏み部を示す斜視図である。
【図５】図４に示す踏み部における上昇方向を示す場合の透過部を示す平面図である。
【図６】図４に示す踏み部における下降方向を示す場合の透過部を示す平面図である。
【符号の説明】
【００３９】
１      乗客コンベア
３      踏み部
３ｂ    踏板
３ｃ    蹴上板
８      光源
２４ａ  切替部
２４ｂ  切替部
Ｔ１    透過部
Ｔ２    透過部
【図１】
2007246260.tif 000003
【図２】
2007246260.tif 000004
【図３】
2007246260.tif 000005
【図４】
2007246260.tif 000006
【図５】
2007246260.tif 000007
【図６】
2007246260.tif 000008